(57)【要約】【課題】タンクレールを流下する遊技球を整列させる整列部材の組み付け性を向上させるとともに、遊技球の整列性能を向上させる。【解決手段】タンクレールの上方に設けられ、遊技球を整列させる第１整列部材と、タンクレールの上方であって第１整列部材の下流側に設けられ、遊技球を整列させる第２整列部材と、タンクレールの上方であって第２整列部材の下流側において、遊技球流れ方向に回動可能に設けられ、遊技球の流れを遮断する遮断状態と遊技球の流れを遮断しない非遮断状態とに変化可能な球止め部材とを設ける。第１整列部材は、第２整列部材を係合させる係合部を有しており、第２整列部材は、弾性を有する１本の棒状部材が一方の端部で反対方向に折曲げられて構成され、他方の端部が球止め部材の回転軸に支持され、一方の端部が第１整列部材の係合部に係合される。【選択図】図３
2007229333.tif 000002
【特許請求の範囲】
【請求項１】
賞球タンクから流出する遊技球を流下させるタンクレールの上方に設けられ、前記タンクレール内を流下する遊技球を整列させる第１整列部材と、
前記タンクレールの上方であって前記第１整列部材の遊技球流れ方向下流側に設けられ、前記タンクレール内を流下する遊技球を整列させる第２整列部材と、
前記タンクレールの上方であって前記第２整列部材の遊技球流れ方向下流側において、遊技球流れ方向に回動可能に設けられ、前記タンクレール内を流下する遊技球の流れを遮断する遮断状態と遊技球の流れを遮断しない非遮断状態とに変化可能な球止め部材とを備え、
前記第１整列部材は、前記第２整列部材を係合させる係合部を有しており、
前記第２整列部材は、弾性を有する１本の棒状部材が一方の端部で反対方向に折曲げられて構成され、他方の端部が前記球止め部材の回転軸に支持され、前記一方の端部が前記第１整列部材の前記係合部に係合されていることを特徴とする遊技機。
【請求項２】
前記第１整列部材は、回転軸を中心に遊技球流れ方向に回動可能に構成され、
前記第２整列部材は、前記他方の端部を中心にして前記一方の端部が回動可能となっており、前記一方の端部が遊技球流れ方向上流側に回動し遊技球を整列させる整列状態と前記一方の端部が遊技球流れ方向下流側に回動し前記タンクレールの上方を開放する開放状態とに変化可能に構成され、
前記第２整列部材が前記整列状態の場合に、前記一方の端部が前記第１整列部材の前記係合部に係合されているようになっているとともに、前記第１整列部材を遊技球流れ方向上流側に回動させることで、前記一方の端部と前記第１整列部材の前記係合部との係合が外れ、前記第２整列部材が前記開放状態に移行可能となることを特徴とする請求項１に記載の遊技機。
【請求項３】
前記第１整列部材の係合部は、前記第２整列部材が前記整流状態にあるときに、前記第２整列部材の一方の端部が一定の範囲内で移動可能となっていることを特徴とする請求項１または２に記載の遊技機。
【請求項４】
前記タンクレールは遊技球がそれぞれ流下する２列の樋を有し、前記第２整列部材は前記整流状態において、前記２列の樋のそれぞれの上方に位置していることを特徴とする請求項１ないし３のいずれか１つに記載の遊技機。
【発明の詳細な説明】
【技術分野】
【０００１】
本発明は、遊技球を用いて遊技を行う遊技機に関する。
【背景技術】
【０００２】
従来より、パチンコ機などの遊技球を用いて遊技を行う遊技機には、賞球タンクから供給される遊技球を下流側の遊技球払出装置に流下させるためのタンクレールが設けられている。タンクレールには、遊技球を一列に整列させて流下させるために、球ならし装置を設けることが行われている（例えば、特許文献１参照）。この球ならし装置は、錘が設けられた下端部が遊技球の流下経路に位置するとともにし、下端部が遊技球の流下方向に沿って揺動可能に設けられており、下端部がタンクレール内を流下する遊技球に一定の圧力を与えることで、遊技球を整列させるように構成されている。
【特許文献１】特開２００３−１２６３８９号公報
【発明の開示】
【発明が解決しようとする課題】
【０００３】
ところが、上記構成の球ならし装置は、構成が複雑であり、組み付け性が悪いという問題がある。また、球ならし装置の可動範囲が大きいため、遊技球が頻繁に衝突することで、破損するおそれがある。さらに、球ならし装置に所定外の力が加わった場合には、球ならし部材が上方に上がりっぱなしとなり、遊技球の整列が完全には行われず、タンクレール内で球詰まりが発生するおそれがある。
【０００４】
本発明は上記点に鑑み、タンクレールを流下する遊技球を整列させる整列部材の組み付け性を向上させるとともに、遊技球の整列性能を向上させることを目的とする。
【課題を解決するための手段】
【０００５】
上記目的を達成するため、本発明は、タンクレールの上方に設けられ、タンクレール内を流下する遊技球を整列させる第１整列部材と、タンクレールの上方であって第１整列部材の下流側に設けられ、タンクレール内を流下する遊技球を整列させる第２整列部材と、タンクレールの上方であって第２整列部材の下流側において、遊技球流れ方向に回動可能に設けられ、タンクレール内を流下する遊技球の流れを遮断する遮断状態と遊技球の流れを遮断しない非遮断状態とに変化可能な球止め部材とを備え、第１整列部材は、第２整列部材を係合させる係合部を有しており、第２整列部材は、弾性を有する１本の棒状部材が一方の端部で反対方向に折曲げられて構成され、他方の端部が球止め部材の回転軸に支持され、一方の端部が第１整列部材の係合部に係合されていることを特徴としている。
【０００６】
このように、遊技球の整列を第１整列部材と第２整列部材によって二段階で行うことで、第２整列部材にかかる遊技球の球圧を低下させることができ、第２整列部材が遊技球の球圧により上方に移動したままになることを防止できる。これにより、タンクレールを流下する遊技球を確実に整列させることができ、球詰まりが発生することを防止できる。また、第２整列部材は、弾性を有する１本の棒状部材から構成されており、他方の端部を球止め部材の回転軸に組み付けるだけで、組付け作業を容易に行うことができる。さらに、簡易な構成で第２整列部材を実現でき、製造コストを低減することができる。
【０００７】
また、第１整列部材を回転軸を中心に遊技球流れ方向に回動可能に構成し、第２整列部材を、他方の端部を中心にして一方の端部が回動可能とし、遊技球を整列させる整列状態とタンクレールの上方を開放する開放状態とに変化可能に構成することができる。このような構成において、第２整列部材が整列状態の場合に一方の端部が第１整列部材の係合部に係合され、第１整列部材を上流側に回動させることで、一方の端部と第１整列部材の係合部との係合が外れ、第２整列部材が開放状態に移行可能とすることで、簡単に第２整列部材を開放状態にすることができ、タンクレールのメンテナンス性を向上させることができる。
【０００８】
また、第１整列部材の係合部は、第２整列部材が整流状態にあるときに、第２整列部材の一方の端部が一定の範囲内で移動可能に構成することで、第２整流部材に遊技球が勢いよく衝突した場合に、第２整列部材が可動範囲内で移動して衝撃を吸収することができる。
【０００９】
また、第２整列部材は、１本の棒状部材が一方の端部で反対方向に折曲げられた形状として構成されているので、タンクレールが２列の樋を有する場合には、２列の樋のそれぞれの上方に第２整列部材が位置するように構成することができる。これにより、２列の樋のそれぞれで遊技球を整列させることができる。
【発明を実施するための最良の形態】
【００１０】
以下、本発明の実施形態を示す一実施例について図面を用いて説明する。本発明の遊技機をパチンコ遊技機（以下、単に遊技機という）に適用した実施例を図１〜図８に示す。
【００１１】
図１は、本実施例の遊技機１の正面図である。図１に示すように、遊技機１の前面部は、本体枠２、中枠３、前面枠４、上皿部５、下皿部６、施錠装置９、遊技盤２０等を備えている。なお、図１では遊技盤２０の詳細な図示を省略している。また、中枠３は前面枠４等が前面側に配置されているため、図１においては明示されていない。
【００１２】
本体枠２は木製の板状体を略長方形の枠状に組立てたものであり、遊技機１の外枠を構成している。中枠３はプラスチック製であり、本体枠２の内側にはめ込まれて設置されており、外枠２に対して開閉可能に左端で軸支されている。中枠３は、上側２／３程度を占める枠体部と下側１／３程度を占める下板部とから構成されている。枠体部の前面側には遊技盤２０と前面枠４とが重なるように設けられており、下板部の前面側には上皿部５と下皿部６が設けられている。下板部には、遊技球を遊技盤２０に発射する遊技球発射装置を構成する発射装置ユニット（図示略）、遊技球を発射装置ユニットに供給する球送り装置（図示略）が設けられている。
【００１３】
前面枠４は、中枠３の前面側に配置され、中枠３の左端で開閉可能に支持されている。前面枠４はプラスチック製であり、奥側に配置される遊技盤２０の盤面を視認可能にするために、円形状の開口部４ａが形成されている。前面枠４の裏面には、開口部４ａに対応したガラス板等の透明板を備える略長方形状の透明板枠（図示略）が装着されている。
【００１４】
前面枠４には、遊技効果等のためのランプ類として、左ＬＥＤ表示部４ｂ、右ＬＥＤ表示部４ｃ、左上ＬＥＤ表示部４ｄ、右上ＬＥＤ表示部４ｅ、上ＬＥＤ表示部４ｆが設けられている。左ＬＥＤ表示部４ｂと右ＬＥＤ表示部４ｃは、開口部４ａの周囲の右側と左側にそれぞれ円弧状に設けられている。左上ＬＥＤ表示部４ｄは左ＬＥＤ表示部４ａの左上方に設けられ、右上ＬＥＤ表示部４ｅは右ＬＥＤ表示部４ｃの右上方に設けられている。上ＬＥＤ表示部４ｆは円形状に形成され、左ＬＥＤ表示部４ｂの上端部と右ＬＥＤ表示部４ｃの上端部との間に２個設けられている。これらのＬＥＤ表示部４ｂ〜４ｆは、遊技効果を高めるためにゲーム進行に応じて点灯・消灯あるいは点滅する。また、２個の上ＬＥＤ表示部４ｆの間には、２個の賞球ＬＥＤ表示部４ｇが設けられている。賞球表示ＬＥＤ表示部４ｇの上方には、扇形のエラーＬＥＤ表示部４ｈが設けられている。
【００１５】
上皿部５は、前面枠４の下側に設けられ、中枠３の左端に開閉可能に支持されている。上皿部５は、球抜きボタンや遊技球の貸球ボタン、返却ボタン等が配設された皿外縁部５ａと、遊技機１の内部から遊技球を排出するための排出口５ｂとを備えている。さらに、上皿部５の略中央部には複数の長孔とその上部に多数の小穴が形成された第１音声出力部５ｃが形成されている。上皿部５の裏面には音量スイッチ基板（図示略）が設けられている。
【００１６】
下皿部６は、上皿部５の下方に設けられている。下皿部６の略中央には、遊技機１の内部から遊技球を排出するための排出口６ａが設けられている。また、下皿部６の底面には図示しない球抜き穴が設けられている。球抜き穴は通常時には閉鎖しており、下皿部６に貯留された遊技球を排出する際に開放する。下皿部６の略中央手前側には、球抜き穴を開閉させる排出ノブ６ｂが設けられている。下皿部６における排出ノブ６ｂの右側および左側には、第２音声出力部６ｃが設けられている。
【００１７】
下皿部６の右端には、遊技者が発射装置ユニット（図示略）を操作するための発射ハンドル８が設けられている。発射ハンドル８には、遊技者が遊技球の発射強度を調整するための発射操作部８ａが設けられている。発射操作部８ａには、遊技者が触れていることを検出するタッチスイッチが設けられている。発射ハンドル８の左側面には、遊技者が操作して遊技球の発射を一時的に停止する発射停止スイッチ８ｂが配置されている。
【００１８】
施錠装置９は、中枠３の右端中央に設けられており、前面枠４を閉じた場合にこれを施錠するためのものである。また、遊技機１の左側には、プリペイドカードユニット１３（ＣＲユニット）が装着されている。
【００１９】
次に、本実施例の遊技機１の裏面構造について図２に基づいて説明する。図２は遊技機１の裏機構盤１０２の正面図である。
【００２０】
図２に示すように、裏機構盤１０２は中枠３における遊技盤２０の反対面に設けられており、一対のヒンジ１０３により中枠３に開閉可能に取り付けられている。裏機構盤１０２の左上方部には、タンク球切れ検知スイッチ１０４を内側面に備えた賞球タンク１０５が設けられている。賞球タンク１０５には、外部の補給装置から供給される払い出し用の遊技球が貯留されている。賞球タンク１０５の底面は、遊技機１の背面側からみて右下がりに構成されており、賞球タンク１０５の右側下方には、賞球タンク１０５と接続したタンクレール１０６が設けられている。タンクレール１０６は、裏機構盤１０２にネジ止めによって組み付けられるもので、賞球タンク１０５の右下角部から遊技球払出装置１０９の上方まで傾斜して形成されている。タンクレール１０６には、遊技球を整列させる整列機構が設けられている。この整列機構については後述する。
【００２１】
タンクレール１０６の右側には、球抜きレバー１０７が設けられている。球抜きレバー１０７の下流側には、遊技球払出装置１０９が設けられている。また、タンクレール１０６の下流側であって、遊技球払出装置１０９の上方には、タンクレール１０６を流下してきた遊技球の進行方向を変えて遊技球払出装置１０９に誘導するためのケースレール（遊技球誘導通路）１０８が設けられている。
【００２２】
タンクレール１０６の左側であって賞球タンク１０５の下方には、振動モータ１１０が設けられている。振動モータ１１０は、裏機構盤１０２にネジ止めによって組み付けられるもので、タンク球切れ検知スイッチ１０４にて賞球タンク１０５内の遊技球がなくなったことが検知された際に、賞球タンク１０５を振動させ、賞球タンク１０５内に残留している遊技球を賞球タンク１０５から完全に排出させるためのものである。
【００２３】
タンクレール１０６の下方には、前面側に図柄表示装置（図示せず）が取り付けられ、背面側に裏ケース１１１が設けられている。裏ケース１１１は、一対のヒンジ１１２により裏機構盤１０２に開閉可能に取り付けられている。裏ケース１１１の内部では、遊技制御に必要となる各種制御基板が収納された基板ケースとして、ランプインタフェース基板、主制御基板ケース、演出制御基板ケース、図柄制御基板ケースが、それぞれ遊技盤２０の裏面に取り付けられている。裏ケース１１１の下方には、左側に電源基板ケース１１６が設けられ、右側に払出制御基板１１８が設けられている。さらに裏機構盤１０２の右上方部には、大当たり、発射装置制御、球切れ、扉開放、賞球、貸球用等の遊技機枠用外部接続端子を備えた枠用外部端子基板１２２が設けられている。
【００２４】
次に、タンクレール１０６における遊技球の整列機構５０〜５３について説明する。図３はタンクレール１０６および整列機構５０〜５３の側面図であり、図４はタンクレール１０６を取り除いた状態を示す整列機構５０〜５３の斜視図であり、図５はタンクレール１０６および整列機構５０〜５３の斜視図である。図３、図４は遊技機１の背面側からみた状態を示しており、図５は遊技機１の前面側からみた状態を示している。以下、「遊技球流れ方向上流側」を単に「上流側」ともいい、「遊技球流れ方向下流側」を単に「下流側」ともいう。
【００２５】
タンクレール１０６は、透明な樹脂材料から構成されており、底面には遊技球の流れ方向に沿って隔壁部１０６ａが突出するように形成されている。タンクレール１０６には、隔壁部１０６ａにより２列の樋１０６ｂ、１０６ｃが並列して形成され、それぞれの樋１０６ｂ、１０６ｃを遊技球が流下する。隔壁部１０６ａの上流側端部は尖っており、賞球タンク１０５から流下する遊技球が２列の樋１０６ｂ、１０６ｃにスムーズに振り分けられるようになっている。タンクレール１０６の背面側（図３の手前側、図５の奥側）には、樋１０６ｂの一部を構成する側壁部１０６ｄが設けられている。
【００２６】
タンクレール１０６の上方には、上流側から順に第１整列部材５０、第２整列部材５２、球止め部材５３が設けられている。
【００２７】
第１整列部材５０は、遊技球を整列する機能に加え、第２整列部材５２を固定する機能をも有している。第１整列部材５０は、板状に構成されており、例えば樹脂材料を用いることができる。第１整列部材５０は、板面が遊技球流れ方向と平行となるように、タンクレール１０６の隔壁部１６０ａの上方に配置されている。第１整列部材５０の上端には回転軸５０ａが設けられ、この回転軸５０ａが遊技機１の枠体（裏機構盤１０２）に支持されている。このため、第１整列部材５０は、回転軸５０ａからつり下げられるように配置され、回転軸５０ａを中心に遊技球流れ方向に揺動可能となっている。
【００２８】
第１整列部材５０の下流側には、ストッパ部材５１が設けられている。ストッパ部材５１は、裏機構盤１０２の壁面に一体形成されており、第１整列部材５０が垂直状態にあるときに、第１整列部材５０の下流側の側辺に当接するように配置されている。このため、第１整列部材５０は、ストッパ部材５１により下流側への揺動が規制され、垂直状態から上流側にのみ揺動可能となっている。
【００２９】
第１整列部材５０の上流側端部は尖っており、賞球タンク１０５から流下する遊技球が２列の樋１０６ｂ、１０６ｃにスムーズに振り分けられるようになっている。第１整列部材５０には、板面の両側において、整列部５０ｂが遊技球流れ方向と直交する方向に突出して設けられている。整列部５０ｂは、２列の樋１０６ｂ、１０６ｃそれぞれの上方に位置している。
【００３０】
整列部５０ｂは板状に構成されており、上部は垂直であり下部は下流側に向かって湾曲している。このため、整列部５０ｂとタンクレール１０６の底面との間隔は、下流側に向かって狭くなっている。また、第１整列部材５０の下端は、タンクレール１０６の底面から遊技球を２個重ねた高さより低くなるように設定されている。このため、整列部５０ｂの上流側湾曲面は、遊技球が積み重なった状態でタンクレール１０６を流下する遊技球が整列させる整列面として機能する。
【００３１】
整列部５０ｂの下流側端部には、下流側に向かって開口する凹部５０ｃが設けられている。凹部５０ｃは、後述するように第２整列部材５２の可動側端部５２ａが係合する係合部として機能し、第２整列部材５２を固定することができる。凹部５０ｃの大きさは、第２整列部材５２の可動側端部５２ａが一定の可動範囲内で移動可能に設定されている。
【００３２】
第２整列部材５２は、１本の棒状部材を反対方向に折曲げた二股形状、つまり略Ｕ字状の端部から２本の棒状部が並列に延設された形状となっており、タンクレール１０６の上方において長手方向が遊技球流れ方向に沿って配置されている。第２整列部材５２は、タンクレール１０６の下流部に対応した位置に設けられている。第２整列部材５２は、細長形状であり、弾性を有している。本実施例の第２整列部材５２は、樹脂で被覆された１本の金属製ワイヤを折曲げることで構成されている。第２整列部材５２は、タンクレール１０６の２列の樋１０６ｂ、１０６ｃそれぞれの上方に位置する。
【００３３】
第２整列部材５２は、上流側端部が略Ｕ字状の可動側端部５２ａとなっており、下流側端部が一対の固定側端部５２ｂとなっている。可動側端部５２ａは、１本の棒状部材を反対方向に折曲げた側の端部を構成しており、第１整列部材５０の凹部５０ｃの内部に入り込むことで係合される。ここで、「略Ｕ字状」は、第１整列部材５０の凹部５０ｃに引っ掛かることができればよく、反対方向に折れ曲がっている形状であればよい。
【００３４】
第２整列部材５２の固定側端部５２ｂは、略環状に構成されており、球止め部材５３の回転軸５３ａが填り込むことができるようになっている。固定側端部５２ｂは、球止め部材５３の回転軸５３ａに軸支されることができればよく、本実施例では一部が開いた環状として構成されている。第２整列部材５２の固定側端部５２ｂに球止め部材５３の回転軸５３ａを挿通することで、第２整列部材５２が球止め部材５３の回転軸５３ａに回動可能に支持される。なお、可動側端部５２ａが本発明の一方の端部に相当し、固定側端部５２ｂが他方の端部に相当している。
【００３５】
第２整列部材５２は、下流側の固定側端部５２ｂを中心として上流側の可動側端部５２ａが回動可能となっており、可動側端部５２ａが遊技球流れ方向上流側に回動し遊技球を整列させる整列状態と、可動側端部５２ａが遊技球流れ方向下流側に回動しタンクレール１０６の上方を開放する開放状態とに変化可能となっている。そして、整列状態において、可動側端部５２ａが第１整列部材５０の凹部５０ｃ（係合部）に係合されるようになっている。
【００３６】
第２整列部材５２の組み付けは、一対の固定側端部５２ｂの間隔を大きくした状態で、固定側端部５２ｂを球止め部材５３の回転軸５３ａに填め込むことで行う。このとき、第２整列部材５２は弾性を有しているので、第２整列部材５２を球止め部材５３の回転軸５３ａに組み付ける際に変形でき、組み付け作業を容易に行うことができる。
【００３７】
第２整列部材５２は、下方に向かって突出するように湾曲しており、第２整列部材５２とタンクレール１０６の底面との間隔は、下流側に向かって徐々に狭くなっている。第２整列部材５２とタンクレール１０６の底面との間隔は、上流側では第１整列部材５０の整列部５０ｂとタンクレール１０６の底面との間隔と同程度であり、下流側では遊技球約１個分となっている。
【００３８】
球止め部材５３は、タンクレール１０６の下流側端部の上方に設けられており、回転軸５３ａを中心にして回動可能となっている。この球止め部材５３は、図４に示すように、回転軸５３ａの一端を裏機構盤１０２側の軸受け孔（図示せず）に挿通するとともに、回転軸５３ａの他端をケースレール１０８の上部に設けられた保持片１０８ａの軸受け孔１０８ｂに挿通することで、回動可能に軸支されている。そして、第２整列部材５２の固定側端部５２ｂを回転軸５３ａに軸支させることにより、球止め部材５３と第２整列部材５２とは各々別個に回動させることができるように構成されており、球止め部材５３は第２整列部材の内側で回動可能となっている。球止め部材５３には、くさび形状の遮断部５３ｂが設けられている。遮断部５３ｂは先端が二股形状となっており（図５参照）、それぞれが２列の樋１０６ｂ、１０６ｃに対応している。
【００３９】
図６は、球止め部材５３により、遊技球の流れが停止されている状態を示す側面図である。通常時は、球止め部材５３がタンクレール１０６における遊技球の流れを妨げないように、遮断部５３ｂがタンクレール１０６の上方に位置する非遮断状態となっている（図３参照）。タンクレール１０６を流下する遊技球の流れを停止させる場合には、球止め部材５３を図３中の反時計方向に回動させることで、遮断部５３ｂの先端がタンクレール１０６の底面に当接し、遮断部５３ｂが樋１０６ｂ、１０６ｃに位置する遮断状態となる（図６参照）。これにより、樋１０６ｂ、１０６ｃにおける遊技球の流れが妨げられ、遊技球の流れが停止する。
【００４０】
次に、第１整列部材５０と第２整列部材５２による遊技球の整列について説明する。まず、賞球タンク１０５の下部からタンクレール１０６に遊技球が供給され、遊技球がタンクレール１０６を下流側に向かって流れていく。このとき、賞球タンク１０５から大量の遊技球が供給されるので、タンクレール１０６内では遊技球に加わる圧力（球圧）が高くなっている。このため、タンクレール１０６の上流部では、球圧により遊技球が押し上げられて乱雑に重なった状態となっており、上下方向に２個以上の遊技球が積み重なった状態となっている。
【００４１】
賞球タンク１０５から排出された遊技球は、タンクレール１０６の隔壁部１０６ａの先端と第１整列部材５０の先端により、２列の樋１０６ｂ、１０６ｃに振り分けられる。樋１０６ｂ、１０６ｃを流下する遊技球が２個以上積み重なっている場合には、上側に位置する遊技球が第１整列部材５０の整列部５０ｂに接触するとともに流下を妨げられる。整列部５０ｂの下部は下流側に向かって湾曲しているので、遊技球は流下しながら押し下げられて整列される。このように、第１整列部材５０により遊技球の上下方向の積み重なりの多くが解消される。
【００４２】
第１整列部材５０の下流側に流下した遊技球は、第１整列部材５０による一段目の整列では完全には整列されていない場合があり、さらに、球圧により前後の遊技球から押し上げられる場合がある。このようなタンクレール１０６の底面より上方に位置する遊技球は、第２整列部材５２の下側に接触して押し下げられる。第２整列部材５２とタンクレール１０６の底面との間隔は下流側に向かって徐々に狭くなっているので、遊技球は流下しながら徐々に均されて整列される。そして、第２整列部材５２の最下流部では、遊技球の上下方向の積み重なりが完全に解消される。
【００４３】
また、第１整列部材５０の凹部５０ｃは、第２整列部材５２の可動側端部５２ａが若干移動可能な大きさとなっているので、遊技球が第２整列部材５２に勢いよく衝突した場合には、第２整列部材５２が可動範囲内で上方に移動して衝撃を吸収することができる。
【００４４】
第２整列部材５２に加わる球圧が過度に高い場合には、遊技球に押された第２整列部材５２が上方に移動したままとなり、第２整列部材５２により遊技球を効果的に整列させることができないことが考えられる。これに対し、本実施例では遊技球の整列が二段階に行われ、第１整列部材５０による一段目の整列で遊技球の整列が行われるとともに、整列部５０ｂに衝突することで、遊技球の勢いが減殺され球圧が低下する。このため、第２整列部材５２で遊技球の整列を行う際には遊技球の球圧が低くなっており、第２整列部材５２が遊技球の球圧により上方に移動したままとならず、第２整列部材５２による二段目の整列で遊技球を効果的に整列させることができる。
【００４５】
次に、第２整列部材５２の開放について説明する。図７は、第２整列部材５２を開放する過程を示している。タンクレール１０６にゴミ等の異物が混入した場合やタンクレール１０６、ケースレール１０８で遊技球の球詰まりが発生した場合には、第２整列部材５２を開放して、メンテナンス作業を行う必要がある。
【００４６】
まず、第１整列部材５０を回転軸５０ａを中心として上流側（図７の時計方向）に回動させることで、第１整列部材５０の凹部５０ｃと第２整列部材５２との係合が外れる（図７（ａ）参照）。これにより、第２整列部材５２の可動側端部５２ａは、第１整列部材５０の凹部５０ｃによる拘束から解放されて自由となる。次に、第２整列部材５２の可動側端部５２ａを持ち上げることで、第２整列部材５２は固定側端部５２ｂを中心にして図７における時計方向に回動し、第２整列部材５２がタンクレール１０６から離れる（図７（ｂ））。これにより、タンクレール１０６の各樋１０６ｂ、１０６ｃの上方側が開放状態となるので、タンクレール１０６内の異物を取り除く等のメンテナンス作業を行うことが可能となる。
【００４７】
次に、本実施例の遊技機１の電子制御装置について、図８に基づいて説明する。図８は、電子制御装置の概略構成を示すブロック図である。
【００４８】
図８に示すように、電子制御装置は、主制御部２００と、その主制御部２００に接続された副制御部２３０、２６０及び２８０とを含んで構成されている。副制御部は、払出制御部２３０、演出制御部２６０及び図柄制御部２８０から構成される。主制御部２００は主制御基板２００ａを備え、副制御部２３０、２６０及び２８０は周辺制御基板として払出制御基板２３０ａ、演出制御基板２６０ａ及び図柄制御基板２８０ａをそれぞれ備えている。
【００４９】
主制御部２００は、各副制御部２３０、２６０及び２８０に処理内容を指示する指令信号（コマンドデータ）を送信し、各副制御部２３０、２６０及び２８０は指令信号に基づいて各種制御を行うように構成されている。これら主制御部２００、払出制御部２３０、演出制御部２６０、図柄制御部２８０および発射制御部２５０により、遊技機１の動作が制御される。各制御部２００、２３０、２６０及び２８０には、主電源１２９と接続された電源受電基板１２８から電源基板１２７と電源中継基板１２１とを介して電源が供給されている。
【００５０】
主制御部２００には、盤用外部端子基板２０１、盤面中継基板２１０及び遊技枠中継基板２２０が接続されている。払出制御部２３０には、枠用外部端子基板１２２、スイッチ中継端子基板２３１、ＣＲ接続基板２３４、主制御部２００、発射制御部２５０等が接続されている。スイッチ中継端子基板２３１には、タンク球切れスイッチ２３２、下皿満タンスイッチ２３３が接続されている。タンク球切れスイッチ２３２は、枠用外部端子基板１２２にも接続されている。
【００５１】
以上説明したように、本実施形態では、遊技球の整列が第１整列部材５０と第２整列部材５２によって二段階で行われるので、第２整列部材５２にかかる遊技球の球圧を低下させることができ、第２整列部材５２が遊技球の球圧により上方に移動したままになることを防止できる。これにより、タンクレール１０６を流下する遊技球を確実に整列させることができ、球詰まりが発生することを防止できる。
【００５２】
また、第２整列部材５２は、略Ｕ字形状のワイヤ状部材からなる簡易な構成であり、加工費や材料費等を低減することが可能となる。さらに、第２整列部材５２は、弾性を有する部材として構成されており、固定側端部５２ｂを球止め部材５３の回転軸５３ａに填め込むだけで組み付けることができ、容易に組み付け作業を行うことができる。
【００５３】
また、第１整列部材５０を上流側に回動させるだけで、第１整列部材５０と第２整列部材５２との係合が外れ、第２整列部材５２を上方に引き上げて開放状態にすることができ、タンクレール１０６のメンテナンスを容易に行うことができる。
【００５４】
（他の実施形態）
なお、本発明は、パチンコ遊技機、組合せ式遊技機等はもちろんのこと、遊技球を用いて遊技を行う遊技機であれば適用可能である。
【００５５】
また、上記実施形態では、タンクレール１０６が２列の樋１０６ｂ、１０６ｃを有する遊技機１について説明したが、これに限らず、本発明はタンクレール１０６が１列の樋を有する構成の遊技機にも適用可能である。この場合には、第２整列部材５２を図９に示すような構成にすることができる。
【００５６】
図９（ａ）、図９（ｂ）は、それぞれ第２整列部材５２の変形例を示す平面図であり、図９（ｃ）は、図９（ａ）、図９（ｂ）に示す第２整列部材５２の共通の側面図である。図９に示すように、第２整列部材５２を略Ｕ字状の固定側端部５２ｂ（図９（ｃ）参照）から１本の棒状部が延設された略Ｊ字状の可動側端部５２ａ（図９（ａ）、図９（ｂ）参照）を有するように構成すればよい。このような構成の第２整列部材５２を１列の樋の上方に配置し、略Ｊ字状の可動側端部５２ａを第１整列部材５０の凹部５０ｃに係合させることで、樋を流下する遊技球を整列させることができる。
【図面の簡単な説明】
【００５７】
【図１】上記実施例による遊技機を示す正面図である。
【図２】上記実施例の遊技機を示す背面図である。
【図３】タンクレールおよび整列機構の側面図である。
【図４】タンクレールを取り除いた状態を示す整列機構の斜視図である。
【図５】タンクレールおよび整列機構の斜視図である。
【図６】球止め部材により遊技球の流れが停止されている状態を示す側面図である。
【図７】第２整列部材を開放する過程を示す側面図である。
【図８】電子制御装置の概略構成を示すブロック図である。
【図９】（ａ）、（ｂ）は第２整列部材の変形例を示す平面図であり、（ｃ）は側面図である。
【符号の説明】
【００５８】
１…遊技機、５０…第１整列部材、５０ａ…回転軸、５０ｂ…整列部、５０ｃ…凹部（係合部）、５１…ストッパ部材、５２…第２整列部材、５２ａ…可動側端部（一方の端部）、５２ｂ…固定側端部（他方の端部）、５３…球止め部材、５３ａ…回転軸、５３ｂ…遮断部、１０５…賞球タンク、１０６…タンクレール。
【図１】
2007229333.tif 000003
【図２】
2007229333.tif 000004
【図３】
2007229333.tif 000005
【図４】
2007229333.tif 000006
【図５】
2007229333.tif 000007
【図６】
2007229333.tif 000008
【図７】
2007229333.tif 000009
【図８】
2007229333.tif 000010
【図９】
2007229333.tif 000011